(57)【要約】【課題】転写テープの交換が容易で、かつ転写作業を円滑に行い得る塗膜転写具を提供する。【解決手段】供給リール３、巻取リール４等を配設したベース板６を容器内に収容し、転写ヘッド５を容器から突出させ、供給リール３から転写テープ７を繰出し、転写ヘッド５の尖端で反転させて巻取リール４に巻き取らせるようにした塗膜転写具１において、ベース板６を、第１ベース板８と第２ベース板９とより形成し、第１ベース板８には供給ギア１０とともに供給リール３を軸支する第１支軸１１、および巻取ギア１２とともに巻取リール４を軸支する第２支軸１３を設け、第２ベース板９には転写ヘッド５を設け、これらの第１ベース板８と第２ベース板９とを、第１支軸１１をもって、回動可能に取り付け、かつ中間ギア１８を介した供給ギア１０と巻取ギア１２との噛合が、前記回動に伴って係脱自在となるようにする。【選択図】        図５
2004148702.tif 000002
【特許請求の範囲】
【請求項１】
供給リール、巻取リール、転写ヘッド等を配設したベース板を容器内に収容し、前記転写ヘッドの尖端を前記容器から突出させ、供給リールに巻き回した転写テープを繰出し、転写ヘッドの尖端で反転させて巻取リールに巻き取らせるようにした塗膜転写具において、
ベース板を、第１ベース板と第２ベース板とより形成し、第１ベース板には供給ギアとともに供給リールを軸支する第１支軸、および巻取ギアとともに巻取リールを軸支する第２支軸を設け、一方、第２ベース板には転写ヘッドを設け、これらの第１ベース板と第２ベース板とを、前記第１支軸をもって、回動可能に取り付け、かつ直接または中間ギアを介した前記供給ギアと巻取ギアとの噛合が、前記回動に伴って係脱自在となるようにしたことを特徴とする塗膜転写具。
【請求項２】
前記第１ベース板に立設させた第１支軸を、第２ベース板に穿設した通孔に貫通させて、両ベース板を相互に回動可能に結合するとともに、第２ベース板に設けた中間ギアを介して、前記供給ギアと巻取ギアとの噛合が、前記回動に伴って係脱自在となるようにしたことを特徴とする請求項１記載の塗膜転写具。
【請求項３】
前記供給ギアにボス軸を設け、このボス軸に供給リールを軸支させるとともに、巻取リールに一体的に設けた巻取ギアを、中間ギアを介して前記供給ギアに噛合させたことを特徴とする請求項１または２に記載の塗膜転写具。
【請求項４】
供給リール、巻取リール等を前記ベース板の表裏の一方側に配設し、前記ベース板を収容する容器を、前記供給リール、巻取リール等を覆うカバー体としたことを特徴とする請求項１〜３のいずれかに記載の塗膜転写具。
【請求項５】
前記ベース板を収容する容器を、側面を一部開口した扁平な容器とし、ベース板を形成する第１ベース板または第２ベース板のいずれかを、前記容器に枢支させ、第１ベース板および第２ベース板を、回動させて、前記開口から容器の内外に、収容または引出し自在としたことを特徴とする請求項１〜４のいずれかに記載の塗膜転写具。
【発明の詳細な説明】
【０００１】
【発明の属する技術分野】
本発明は、把持して、紙面等に押圧しながら後方へ移動させることにより、供給リールから繰出される転写テープに塗着されている修正用または糊料等の塗膜を、紙面等に転写する塗膜転写具に関する。
【０００２】
【従来の技術】
塗膜転写具は、使い捨てタイプ以外に、資源の有効利用からカートリッジタイプが提案されている。しかし、従来のカートリッジタイプは、転写テープの交換時における作業の容易性、および転写テープを弛まないように張架させた状態で供給ギアと巻取ギアとを噛合させることの困難性などの理由から、供給ギア、巻取ギア等をカートリッジ側に組み込んであるものが大半であり、資源の有効利用に欠ける面がある。
【０００３】
一方、この点を改良すべく、『供給ギアを備えた供給リールを回転自在に軸支する第１の軸支手段、前記供給ギアに直接または伝達ギアを介して噛合する巻取ギアを備えた巻取リールを回転自在に軸支する第２の軸支手段、前記供給リールから繰り出されて前記巻取リールに巻き取られる転写テープが経由するヘッドを、カートリッジを構成する片側ハーフに設け、
前記転写テープを前記ヘッドで前記カートリッジの外部に突出させて前記転写テープの転写層を被転写部分に転写させた後、前記転写テープを構成する基材フィルムを前記巻取リールに巻き取る転写具において、
前記片側ハーフは前記第１の軸支手段および前記ヘッドを有する第１のハーフ部分と、前記第２の軸支手段を有する第２のハーフ部分とからなり、
前記第１のハーフ部分は前記第２のハーフ部分に対して少なくとも前記転写テープが前記ヘッドを経由しなくなる位置まで回動可能に取り付けられ、
直接または前記伝達ギアを介した前記供給ギアと前記巻取ギアとの噛合が前記第１のハーフ部分の回動に伴って解除可能な位置に前記巻取リールが配置されているようにした転写具』が提案されている（例えば、実用新案文献１参照）。
【０００４】
【実用新案文献１】
実用新案登録第２５８８１９２号公報
【０００５】
しかし、上記の公報記載のものは、相互に回動可能に取り付けられた第１のハーフと第２のハーフにおいて、第１のハーフに供給リール、第２のハーフに巻取リールがそれぞれ軸支されているため、供給リールと巻取リール間に、がたつきが生じ、転写テープの巻き取りが円滑に行い難い場合がある。転写テープの巻き取りが円滑に行えないと、供給リールと巻取リール間の転写テープの張架状態が弛み、転写作業を円滑に行うことができない。
【０００６】
【発明が解決しようとする課題】
本発明は、前記の問題に対処するためになされたものであり、転写テープの交換時において、転写テープを弛まないように張架させた状態で供給ギアと巻取ギアとを容易に噛合させることができるとともに、転写時において、供給リールと巻取リール間のがたつきを防止し、転写作業を円滑に行い得るようにした塗膜転写具を提供することを目的とする。
【０００７】
【課題を解決するための手段】
本発明によると上記課題は、次のようにして解決される。
（１）  供給リール、巻取リール、転写ヘッド等を配設したベース板を容器内に収容し、前記転写ヘッドの尖端を前記容器から突出させ、供給リールに巻き回した転写テープを繰出し、転写ヘッドの尖端で反転させて巻取リールに巻き取らせるようにした塗膜転写具において、ベース板を、第１ベース板と第２ベース板とより形成し、第１ベース板には供給ギアとともに供給リールを軸支する第１支軸、および巻取ギアとともに巻取リールを軸支する第２支軸を設け、一方、第２ベース板には転写ヘッドを設け、これらの第１ベース板と第２ベース板とを、前記第１支軸をもって、回動可能に取り付け、かつ直接または中間ギアを介した前記供給ギアと巻取ギアとの噛合が、前記回動に伴って係脱自在となるようにする。
【０００８】
（２）  上記（１）項において、前記第１ベース板に立設させた第１支軸を、第２ベース板に穿設した通孔に貫通させて、両ベース板を相互に回動可能に結合するとともに、第２ベース板に設けた中間ギアを介して、前記供給ギアと巻取ギアとの噛合が、前記回動に伴って係脱自在となるようにする。
【０００９】
（３）  上記（１）項または（２）項において、前記供給ギアにボス軸を設け、このボス軸に供給リールを軸支させるとともに、巻取リールに一体的に設けた巻取ギアを、中間ギアを介して前記供給ギアに噛合させる。
【００１０】
（４）  上記（１）項〜（３）項のいずれかにおいて、供給リール、巻取リール等を前記ベース板の表裏の一方側に配設し、前記ベース板を収容する容器を、前記供給リール、巻取リール等を覆うカバー体とする。
【００１１】
（５）  上記（１）項〜（４）項のいずれかにおいて、前記ベース板を収容する容器を、側面を一部開口した扁平な容器とし、ベース板を形成する第１ベース板または第２ベース板のいずれかを、前記容器に枢支させ、第１ベース板および第２ベース板を、回動させて、前記開口から容器の内外に、収容または引出し自在とする。
【００１２】
【発明の実施の形態】
図１は、本発明の塗膜転写具（１）の斜視図、図２は、容器（２）としてのカバー（２ａ）を開けて内部機構を示した斜視図、図３は、内部機構の分解斜視図（但し、カバー（２ａ）は図示を省略した）である。
【００１３】
本発明の塗膜転写具（１）は、供給リール（３）、巻取リール（４）、転写ヘッド（５）等を配設したベース板（６）を容器（２）内に収容し、前記転写ヘッド（５）の尖端を容器（２）から突出させ、供給リール（３）に巻き回した転写テープ（７）を繰出し、転写ヘッド（５）の尖端で反転させて巻取リール（４）に巻き取らせるようになっている。
【００１４】
ベース板（６）は、第１ベース板（８）と第２ベース板（９）とより形成されている。カバー（２ａ）は、第１ベース板（８）に枢支され、開閉自在となっている。第１ベース板（８）には供給ギア（１０）とともに供給リール（３）を軸支する第１支軸（１１）、および巻取ギア（１２）とともに巻取リール（４）を軸支する第２支軸（１３）が立設されている。
一方、第２ベース板（９）には、転写ヘッド（５）が設けられている。
【００１５】
第１ベース板（８）と第２ベース板（９）とは、第１ベース板（８）に立設された第１支軸（１１）を、第２ベース板（９）に穿設した通孔（１４）に貫通させて、両ベース板（８）（９）は、相互に回動可能に結合されている。
【００１６】
供給ギア（１０）にはボス軸（１５）が設けられ、このボス軸（１５）に供給リール（３）が外嵌されるようになっている。
供給ギア（１０）のボス軸（１５）と、供給リール（３）間には、供給リール（３）の回転力を巻取リール（４）に対してスリップさせる公知のスリップ機構が設けられているが、これについては図示を省略してある。
巻取ギア（１２）は、巻取リール（４）の下部に、一体的に取り付けられている。
【００１７】
転写テープ（７）は、転写テープ（７）が巻き回された供給コア（１６）を、供給リール（３）に外嵌し、転写テープ（７）の一端が固定された巻取コア（１７）を巻取リール（４）に外嵌させることによって装着される。
【００１８】
供給ギア（１０）と巻取ギア（１２）は、第２ベース板（９）に設けられた中間ギア（１８）を介して、噛合されている。
この供給ギア（１０）と巻取ギア（１２）との噛合は、第１ベース板（８）と第２ベース板（９）との相互間の回動によって、係脱自在となっている。
【００１９】
以下、これについて説明する。
図４は、転写テープを装着する前の内部機構を示す斜視図である。
図５〜図７は、転写テープ（７）を装着する際の手順を示す斜視図である。
なお、これら図４〜図７においては、カバー（２ａ）は図示を省略してある。
【００２０】
転写テープ（７）を装着するには、次の手順による。
まず、図４において第２ベース板（９）を第１支軸（１１）の回りに、矢印Ａに示す方向に回動させて、図５に示す状態にする。
【００２１】
次いで、供給コア（１６）に巻き回され、一端を巻取コア（１７）に固定された転写テープ（７）を、供給コア（１６）を供給リール（３）に、巻取コア（１７）を巻取リール（４）に、それぞれ外嵌させて、図６に示すように装着する。
【００２２】
次いで、図６に示す状態から、第２ベース板（９）を、矢印Ｂに示す方向に回動させて、図７に示す状態にする。
転写テープ（７）は、図６に示す状態から図７に示す状態にする過程で、転写ヘッド（５）の尖端で反転され、充分に張架された状態で、図７に示す使用状態に容易に装着することができる。
【００２３】
図７に示す状態では、供給ギア（１０）と巻取ギア（１２）とが、中間ギア（１８）を介して噛合している。カバー（２ａ）（図示省略）を閉じて、突出している転写ヘッド（５）の尖端を、紙面等に押圧しながら後方へ移動させることにより、転写テープ（７）が引張られて供給リール（１６）が回転し、これにともなって供給ギア（１０）が回転し、これと噛合している中間ギア（１８）を介して巻取ギア（１２）が回転し、この巻取ギア（１２）と一体となっている巻取リール（４）が回転して、転写テープ（７）が巻き取られる。
【００２４】
紙面等には、転写テープ（７）の外側面に塗着されている修正用または糊料等の塗膜が転写される。
【００２５】
転写テープ（７）を使用し終わった場合には、同様にして、図７の状態から図６の状態にして、使用し終わった転写テープ（７）を取り外し、新しいものと交換すればよい。
【００２６】
図８は、本発明の塗膜転写具（１）の別の実施形態を示す斜視図である。
図８に示す塗膜転写具（１９）は、図１〜図７に示した塗膜転写具（１）におけるカバー（２ａ）に代えて、側面を一部開口した扁平な容器（２０）を用いたものである。
【００２７】
第２ベース板（９）が、容器（２０）に枢支されており、第１ベース板（８）および第２ベース板（９）を枢支部（２１）の回りに回動させて、前記容器（２０）の開口（２０ａ）から容器（２０）の内外に、収容または引出し自在となっている。
【００２８】
図８は、第１ベース板（８）、第２ベース板（９）を、容器（２）の開口（２０ａ）から外側に引出した状態を示す。この状態で転写テープ（図示省略）の装着等を行う。
【００２９】
転写テープの装着後は、第１ベース板（８）、第２ベース板（９）を、矢印Ｃの方向に回動させて容器（２０）内に収容し、転写ヘッド（５）の尖端を容器（２０）から外側に突出させた状態として使用に供する。
【００３０】
【発明の効果】
本発明によれば、次のような効果が奏せられる。
（１）  請求項１記載の発明によれば、転写テープのみを交換すればよく、供給リール、巻取リール、供給ギア、巻取ギアは、繰り返して用いることができるため経済的であるとともに、転写テープの交換時において、第１ベース板と第２ベース板とを相互に回動させることにより、転写テープを弛まないように張架させた状態で供給ギアと巻取ギアとを容易に噛合させることができ、かつ供給リールを軸支する第１支軸と、巻取リールを軸支する第２支軸とが、同じ第１ベース板に設けられているため、転写時において、供給リールと巻取リール間のがたつきを防止し、転写作業を円滑に行うことができる。
【００３１】
（２）  請求項２記載の発明によれば、請求項１に記載した発明の効果を奏する塗膜転写具を容易に製作することができる。
【００３２】
（３）  請求項３記載の発明によれば、同じく、請求項１に記載した発明の効果を奏する塗膜転写具を容易に製作することができる。
【００３３】
（４）  請求項４記載の発明によれば、転写テープの交換時における内部機構の外部への取り出しが容易であり、かつコンパクトで、コスト上も有利な塗膜転写具を得ることができる。
【００３４】
（５）  請求項５記載の発明によれば、内部機構を配設したベース板の全体を収容し、かつ転写テープの交換時における内部機構の外部への取り出しが容易な塗膜転写具を得ることができる。
【００３５】
【図面の簡単な説明】
【図１】本発明の塗膜転写具の斜視図である。
【図２】カバーを開けて内部機構を示した斜視図である。
【図３】内部機構の分解斜視図である。
【図４】転写テープを装着する前の内部機構を示す斜視図である。
【図５】転写テープを装着する際の手順を示す斜視図である。
【図６】同じく、転写テープを装着する際の手順を示す斜視図である。
【図７】同じく、転写テープを装着する際の手順を示す斜視図である。
【図８】本発明の塗膜転写具の別の実施形態を示す斜視図である。
【符号の説明】
（１）塗膜転写具
（２）容器
（２ａ）カバー
（３）供給リール
（４）巻取リール
（５）転写ヘッド
（６）ベース板
（７）転写テープ
（８）第１ベース板
（９）第２ベース板
（１０）供給ギア
（１１）第１支軸
（１２）巻取ギア
（１３）第２支軸
（１４）通孔
（１５）ボス軸
（１６）供給コア
（１７）巻取コア
（１８）中間ギア
（１９）塗膜転写具
（２０）容器
（２０ａ）開口
（２１）枢支部
【図１】
2004148702.tif 000003
【図２】
2004148702.tif 000004
【図３】
2004148702.tif 000005
【図４】
2004148702.tif 000006
【図５】
2004148702.tif 000007
【図６】
2004148702.tif 000008
【図７】
2004148702.tif 000009
【図８】
2004148702.tif 000010